(57)【要約】【課題】美観を向上し、かつ、雨水の侵入を抑制する破風板の取付構造を提供する。【解決手段】本発明の破風板の取付構造（１００）は、上方に配置された屋根材（１１２）を含む屋根（１１０）のケラバ側の側端部に破風板（１４０）が取り付けられる構造であって、固定部材（１２０）と、破風板（１４０）とを備えている。固定部材（１２０）は、側端部の下面に設けられている。破風板（１４０）は、一方端部が固定部材（１２０）に係止されるとともに、他方端部が屋根材（１１２）の下面（１１３ｂ）に接続され、かつ、側端部における上下方向に延びる領域を覆う被覆部（１４１）を含んでいる。【選択図】図１
2015040427.tif 000002
【特許請求の範囲】
【請求項１】
上方に配置された屋根材を含む屋根のケラバ側の側端部に破風板が取り付けられる構造であって、
前記側端部の下面に設けられた固定部材と、
一方端部が前記固定部材に係止されるとともに、他方端部が前記屋根材の下面に接続され、かつ、前記側端部における上下方向に延びる領域を覆う被覆部を含む破風板とを備えた、破風板の取付構造。
【請求項２】
前記屋根は、軒天材と、前記軒天材から前記屋根材に向かって延びる破風下地とをさらに含み、
前記屋根材は、前記破風下地の上端側に配置される下地板と、前記下地板上に配置される仕上材とを有し、
前記固定部材は、前記軒天材の下面に取り付けられ、
前記破風板の前記他方端部は、前記下地板の下面に取り付けられる、請求項１に記載の破風板の取付構造。
【請求項３】
前記固定部材は、前記軒天材のケラバ側の側面に沿って延びる垂直部と、前記垂直部と連なり、かつ前記軒天材の下面に沿って延びる水平部と、前記水平部と連なり、かつ下方に突出する係止片とを含み、
前記固定部材の水平部を前記軒天材に固定するための第１の接合部材をさらに備え、
前記破風板の前記被覆部は、前記破風下地を覆い、
前記破風板は、前記被覆部の上端と連なり、かつ前記下地板の下面に取り付けられる取付部と、前記被覆部の下端と連なり、かつ前記第１の接合部材を覆い、かつ前記係止片と当接する係止部とを含む、請求項２に記載の破風板の取付構造。
【請求項４】
前記固定部材は、流れ方向に沿って間隔を隔てて複数配置され、
前記破風板の前記係止部は、流れ方向に沿って延在する、請求項３に記載の破風板の取付構造。
【請求項５】
前記破風板は、前記被覆部から前記側端部に向けて突設された補強部をさらに含む、請求項１〜４のいずれか１項に記載の破風板の取付構造。
【請求項６】
前記側端部の上方を覆う水切部材をさらに備え、
前記水切部材は、前記屋根材の水を下方に導く捨て水切と、前記捨て水切の上端部と一方端部で接する化粧水切とを含み、
前記破風板の前記他方端部と、前記化粧水切の他方端部とが、前記屋根材の下面に接続され、
前記化粧水切は、前記屋根材の下面よりも下方に突出している、請求項１〜５のいずれか１項に記載の破風板の取付構造。
【請求項７】
前記屋根は、軒天材と、前記軒天材から前記屋根材に向かって延びる破風下地とをさらに含み、
前記屋根材は、前記破風下地の上端側に配置される下地板と、前記下地板上に配置される仕上材とを有し、
前記化粧水切を前記下地板に固定するための第２の接合部材をさらに備え、
前記捨て水切は、前記下地板と前記仕上材との間に配置される横部と、前記横部から立設された縦部とを有し、
前記化粧水切は、前記捨て水切の上端と嵌合された上面部と、前記上面部から下方に延在して、前記第２の接合部材を被覆する側面部と、前記側面部の下端と連なり、前記下地板に取り付けられる下面部とを有する、請求項６に記載の破風板の取付構造。
【発明の詳細な説明】
【技術分野】
【０００１】
本発明は、破風板の取付構造に関し、より特定的には、屋根のケラバ側の側端部に破風板が取り付けられる構造に関する。
【背景技術】
【０００２】
従来より、屋根のケラバ側の側端部には、破風板が取り付けられている。このような構造として、例えば、特開２０１３−８３０５７号公報（特許文献１）、特開２０１０−１５９５９６号公報（特許文献２）、特開２００３−１５５８１０号公報（特許文献３）及び特開２００９−２０９６１０号公報（特許文献４）が挙げられる。
【０００３】
特許文献１〜３には、屋根の側端部を覆うように破風板を設置した状態で、破風板の上下方向の中央部または上部に形成された断面コ字状の凹部にビスなどの固定具を打ち込むことにより、屋根の側端部に破風板が取り付けられた構造が開示されている。
【０００４】
特許文献４には、屋根の側端部の上部を覆うようにケラバ包を設置するとともに、ケラバ包の下端部と重なるように、屋根の側端部の下部を覆うように破風化粧板を設置し、ケラバ包と破風化粧板とが重なっている部分にビス等の固定具を打ち込むことにより、屋根の側端部にケラバ包及び破風化粧板が取り付けられた構造が開示されている。
【先行技術文献】
【特許文献】
【０００５】
【特許文献１】特開２０１３−８３０５７号公報
【特許文献２】特開２０１０−１５９５９６号公報
【特許文献３】特開２００３−１５５８１０号公報
【特許文献４】特開２００９−２０９６１０号公報
【発明の概要】
【発明が解決しようとする課題】
【０００６】
しかしながら、上記特許文献１〜４の破風板の取付構造においては、破風板の上下方向に延びる側面に固定具が設けられている。このため、外観上、固定具が目に付く部分に設けられているので、美観が低下してしまうという問題がある。また、固定具が取り付けられるために設けられた穴から、雨水が侵入してしまうという問題があった。
【０００７】
本発明は、上記問題点に鑑み、美観を向上し、かつ、雨水の侵入を抑制する破風板の取付構造を提供することを課題とする。
【課題を解決するための手段】
【０００８】
本発明の破風板の取付構造は、上方に配置された屋根材を含む屋根のケラバ側の側端部に破風板が取り付けられる構造であって、固定部材と、破風板とを備えている。固定部材は、側端部の下面に設けられている。破風板は、一方端部が固定部材に係止されるとともに、他方端部が屋根材の下面に接続され、かつ、側端部における上下方向に延びる領域を覆う被覆部を含んでいる。
【０００９】
本発明の破風板の取付構造において好ましくは、上記屋根は、軒天材と、この軒天材から屋根材に向かって延びる破風下地とをさらに含み、上記屋根材は、破風下地の上端側に配置される下地板と、この下地板上に配置される仕上材とを有し、上記固定部材は、軒天材の下面に取り付けられ、上記破風板の他方端部は、下地板の下面に取り付けられる。
【００１０】
本発明の破風板の取付構造において好ましくは、上記固定部材は、軒天材のケラバ側の側面に沿って延びる垂直部と、この垂直部と連なり、かつ軒天材の下面に沿って延びる水平部と、この水平部と連なり、かつ下方に突出する係止片とを含み、上記固定部材の水平部を軒天材に固定するための第１の接合部材をさらに備え、上記破風板の被覆部は、破風下地を覆い、破風板は、被覆部の上端と連なり、かつ下地板の下面に取り付けられる取付部と、被覆部の下端と連なり、かつ第１の接合部材を覆い、かつ係止片と当接する係止部とを含んでいる。
【００１１】
本発明の破風板の取付構造において好ましくは、上記固定部材は、流れ方向に沿って間隔を隔てて複数配置され、上記破風板の係止部は、流れ方向に沿って延在する。
【００１２】
本発明の破風板の取付構造において好ましくは、上記破風板は、被覆部から側端部に向けて突設された補強部をさらに含んでいる。
【００１３】
本発明の破風板の取付構造において好ましくは、上記側端部の上方を覆う水切部材をさらに備え、水切部材は、屋根材の水を下方に導く捨て水切と、この捨て水切の上端部と一方端部で接する化粧水切とを含み、破風板の他方端部と、化粧水切の他方端部とが、屋根材の下面に接続され、化粧水切は、屋根材の下面よりも下方に突出している。
【００１４】
本発明の破風板の取付構造において好ましくは、上記屋根は、軒天材と、この軒天材から屋根材に向かって延びる破風下地とをさらに含み、屋根材は、破風下地の上端側に配置される下地板と、この下地板上に配置される仕上材とを有し、化粧水切を下地板に固定するための第２の接合部材をさらに備え、捨て水切は、下地板と仕上材との間に配置される横部と、この横部から立設された縦部とを有し、化粧水切は、捨て水切の上端と嵌合された上面部と、上面部から下方に延在して、第２の接合部材を被覆する側面部と、この側面部の下端と連なり、下地板に取り付けられる下面部とを有している。
【発明の効果】
【００１５】
本発明の破風板の取付構造によれば、美観を向上し、かつ、雨水の侵入を抑制することができる。
【図面の簡単な説明】
【００１６】
【図１】本発明の実施の形態１における破風板の取付構造を概略的に示す断面図である。
【図２】本発明の実施の形態１における破風板の取付構造から破風板を省略した状態を概略的に示す斜視図である。
【図３】本発明の実施の形態１における破風板の取付構造を構成する破風板を概略的に示す側面図である。
【図４】本発明の実施の形態１における破風板の取付構造を構成する破風板が複数の場合の接続状態を概略的に示す斜視図である。
【図５】本発明の実施の形態１において、破風板の取付方法を説明するための図である。
【図６】本発明の実施の形態１において、破風板の取付方法を説明するための図である。
【図７】本発明の実施の形態１において、破風板の取付方法を説明するための図である。
【図８】本発明の実施の形態２における破風板の取付構造を概略的に示す断面図である。
【発明を実施するための形態】
【００１７】
以下、図面に基づいて本発明の実施の形態を説明する。なお、以下の図面において同一または相当する部分には同一の参照符号を付しその説明は繰り返さない。
【００１８】
（実施の形態１）
図１〜図４を参照して、本発明の一実施形態の破風板の取付構造について説明する。本発明の実施の形態１の破風板の取付構造１００は、屋根１１０のケラバ側の側端部に破風板１４０が取り付けられる構造である。なお、ケラバとは、屋根の妻側端部である。
【００１９】
まず、屋根１１０について説明する。屋根１１０は、軒先側が下方に傾斜する勾配屋根であり、例えば切妻屋根、片流れ屋根などが採用される。本実施の形態における屋根１１０は、図１に示すように、軒天材１１１と、屋根材１１２と、破風下地１１５と、下地桟１１６、１１７とを含んでいる。軒天材１１１は屋根１１０の下方に配置され、屋根材１１２は屋根１１０の上方に配置されている。屋根材１１２は、下地板１１３と、この下地板１１３上に配置される仕上材１１４とを有している。軒天材１１１から屋根材１１２に向かって延びるように、破風下地１１５が配置されている。破風下地１１５のケラバ側の側端面上方には、下地桟１１６が配置されている。下地板１１３のケラバ側の上面には、下地桟１１７が配置されている。
【００２０】
軒天材１１１は、軒先側の長手方向（矢印Ａの方向、以下ケラバ出方向とも言う）に沿って水平に配置され、例えば軒天ボードである。この軒天材１１１の上端面上に設けられた破風下地１１５には、例えば防腐処理材が用いられる。
【００２１】
屋根材１１２の下地板１１３は、破風下地１１５の上端面上に設けられ、屋根１１０において水が流れる方向（図２における矢印Ｂの方向、以下流れ方向とも言う）に沿って水平に配置されている。屋根材１１２の下地板１１３は、破風下地１１５の上端側に配置されている。下地板１１３は、例えば、野地板である。
【００２２】
下地板１１３のケラバ側の側端部を除く領域上に、仕上材１１４が配置されている。仕上材１１４は、例えば、瓦などであり、本実施の形態では、スレート葺である。
【００２３】
下地板１１３のケラバ側の側端部の上下のそれぞれには、下地桟１１６、１１７が配置されている。下地桟１１６、１１７のそれぞれには、例えば防腐処理材が用いられる。
【００２４】
続いて、破風板の取付構造１００を構成する各部材について説明する。破風板の取付構造１００は、固定部材１２０と、第１〜第３の接合部材１３１〜１３３と、破風板１４０と、水切部材１６０とを含んでいる。固定部材１２０は、屋根１１０の側端部の下面１１１ｂに設けられている。この固定部材１２０に一方端部が係止されるとともに、屋根材１１２の下面１１３ｂに他方端部が接続されるように破風板１４０が設けられている。水切部材１６０は、破風板１４０の上方に配置され、屋根１１０の側端部の上方を覆っている。
【００２５】
固定部材１２０は、軒天材１１１の下面１１１ｂに取り付けられている。図２に示すように、固定部材１２０は、ケラバ出方向と直交する方向（矢印Ｂの流れ方向）に沿って間隔を隔てて複数配置されている。
【００２６】
図１に戻って、固定部材１２０は、垂直部１２１と、この垂直部１２１と連なる水平部１２２と、この水平部１２２と連なる係止片１２３とを含んでいる。
【００２７】
垂直部１２１は、軒天材１１１のケラバ側の側面に沿って延びる。垂直部１２１の上面は、軒天材１１１の上面１１１ａと同一平面上に位置していてもよく、上面１１１ａよりも上方に位置していてもよい。
【００２８】
水平部１２２は、軒天材１１１の下面１１１ｂに沿って延びる。垂直部１２１及び水平部１２２は、軒天材１１１のケラバ側の側端部における下面１１１ｂの角に沿って延びている。つまり、垂直部１２１及び水平部１２２は、略Ｌ字形状である。
【００２９】
係止片１２３は、軒天材１１１の下面１１１ｂから下方に延びている。つまり、水平部１２２の一方端部（ケラバ側の端部）から上方に突出した垂直部１２１が設けられ、水平部１２２の他方端部から下方に突出した係止部が設けられている。
【００３０】
固定部材１２０は、例えば、金属製の薄板が折り曲げ加工された金具である。なお、固定部材１２０は、一体成形されていなくてもよい。
【００３１】
この固定部材１２０の水平部１２２を軒天材１１１に固定するために、第１の接合部材１３１が設けられている。第１の接合部材１３１は、特に限定されないが、例えばビス、釘などを用いることができる。
【００３２】
図１及び図３に示すように、破風板１４０は、被覆部１４１と、この被覆部１４１の上端と連なる取付部１４２と、被覆部の下端と連なる係止部１４３と、被覆部１４１から屋根１１０の側端部に向けて突設された補強部１４４とを含んでいる。破風板１４０の一方端部（係止部１４３側の端部）は固定部材１２０に係止されるとともに、他方端部（取付部１４２側の端部）が下地板１１３の下面１１３ｂに取り付けられている。
【００３３】
被覆部１４１は、屋根１１０の側端部における上下方向（流れ方向と直交する方向）に延びる領域、つまり、屋根１１０の側端部の上下方向の幅を覆っている。具体的には、被覆部１４１は、軒天材１１１の下面から屋根材１１２の下面１１３ｂに渡る領域の少なくとも一部を覆い、本実施の形態では、破風下地１１５及び下地桟１１６を覆っている。
【００３４】
被覆部１４１は、曲面であってもよく、凹部が設けられていてもよいが、平面であることが好ましい。また、被覆部１４１には、ビスや釘などの接合部材が設けられていない。
【００３５】
この被覆部１４１の上端から外側に向けて突出するように、取付部１４２が設けられている。取付部１４２は、屋根１１０の下地板１１３の下面１１３ｂに沿って延び、下地板１１３の下面１１３ｂに取り付けられる。このため、取付部１４２の端面は、下地板１１３のケラバ側の側端面よりも内側または同じであることが好ましい。また、取付部１４２が下地板１１３に第２の接合部材１３２で取り付けられる場合には、取付部１４２には、第２の接合部材１３２を貫通させるための貫通孔１４２ａ（図４参照）が形成されている。
【００３６】
係止部１４３は、第１の接合部材１３１を覆い、かつ固定部材１２０の係止片１２３と当接する。この係止部１４３は固定部材１２０の係止片１２３と係合するように構成されている。すなわち、固定部材１２０の幅寸法と、係止部１４３の内寸法は略同じである。これにより、破風板１４０と固定部材１２０とがひっかかるので、矢印Ａの方向（ケラバ出方向）に破風板１４０が移動することを抑制できる。
【００３７】
なお、本実施の形態では、係止部１４３は、流れ方向（図２における矢印Ｂの方向）に沿って延在し、固定部材１２０は、流れ方向に沿って間隔を隔てて複数配置されている。つまり、１つの係止部１４３と係止される固定部材１２０は、複数である。
【００３８】
具体的には、係止部１４３は、図３に示すように、被覆部１４１の下端から内側に延びる第１水平部１４３ａと、この第１水平部１４３ａから下方に延びる第１垂直部１４３ｂと、この第１垂直部１４３ｂから内側に延びる第２水平部１４３ｃと、この第２水平部１４３ｃから上方に延びる第２垂直部１４３ｄとを有している。第１水平部１４３ａは、破風下地１１５の下面と略同一平面上に位置している。第１垂直部１４３ｂは、固定部材１２０の垂直部１２１に沿って接するように延びている。なお、第１垂直部１４３ｂは、第１水平部１４３ａと交差するように上方にさらに延びていてもよい。第２水平部１４３ｃは、軒天材１１１の下面１１１ｂに沿って延び、第１の接合部材１３１及び固定部材１２０の水平部１２２を被覆している。第２垂直部１４３ｄは、固定部材１２０の係止片１２３の外側に配置され、係止片１２３に沿って接するように延びている。この第２垂直部１４３ｄにおいて第２水平部１４３ｃと連なる端部と反対側の端部は、軒天材１１１の下面１１１ｂに接している。
【００３９】
補強部１４４は、破風板１４０の強度を高めるためのリブである。この補強部１４４は、被覆部１４１の内側面から破風下地１１５に接するように、被覆部１４１の高さ方向と交差する方向（図１では被覆部１４１の高さ方向と直交する方向）に突出している。このため、補強部１４４は、屋根１１０の下地桟１１６の奥行きと略同じ長さを有している。なお、補強部１４４は、破風下地１１５に接していなくてもよいが、下地桟１１６を埋めることができる観点から、破風下地１１５に接していることが好ましい。
【００４０】
被覆部１４１の上端から下端に向けて間隔を隔てて、複数の補強部１４４が設けられていることが好ましいが、補強部１４４の数は限定されない。
【００４１】
破風板１４０は、例えば、鋼板などの金属製の薄板が折り曲げ加工されている。なお、破風板１４０は、一体成形されていなくてもよい。例えば、破風板１４０は、被覆部１４１と取付部１４２と係止部１４３とを一体成形した本体部に、別部材として成形した補強部１４４が取り付けられてもよい。別部材として成形する補強部１４４としては、断面がコ字状、Ｌ字状などの部材としてもよい。また、補強部１４４と本体部とは、同じ材料であってもよく、別の材料であってもよい。
【００４２】
屋根１１０のケラバ側の側端部に沿って取り付けられる破風板１４０は、単数であっても複数であってもよいが、取り付け易さの観点から複数であることが好ましい。屋根１１０のケラバ側の側端部における、軒先側端部及び棟側端部に配置される破風板１４０は、図４に示すように、側部１４５をさらに含んでいてもよい。側部１４５は、被覆部１４１の側面から内側に向けて延びる。
【００４３】
屋根１１０のケラバ側の側端部に沿って取り付けられる破風板１４０が複数の場合、破風板の取付構造１００は、図４に示すように、２枚の破風板１４０を突き合わせた際の破風板１４０の境界を被覆するジョイント部材１５０をさらに備えていてもよい。ジョイント部材１５０は、破風板１４０を流れ方向の幅を小さくした形状である。つまり、ジョイント部材１５０は、被覆部１５１と、取付部１５２と、係止部１５３とを有している。
【００４４】
本実施の形態では、２枚の破風板１４０の裏面側にジョイント部材１５０が配置されている。この場合、ジョイント部材１５０の取付部１５２及び係止部１５３は、裏面側からケラバ側に折り返されているので、破風板の取付部１４２及び係止部１４３上に配置される。
【００４５】
破風板１４０の取付部１４２を下地板１１３に固定するために、第２の接合部材１３２が設けられている。第２の接合部材１３２は、特に限定されないが、例えばビス、釘などを用いることができる。第２の接合部材１３２により、破風板１４０の上下方向及び流れ方向の動きを抑制することができる。
【００４６】
図１に示すように、破風板１４０の上方には、水切部材１６０が設けられている。破風板１４０の他方端部（取付部１４２）と、水切部材１６０の他方端部（化粧水切１８０の下面部１８３）とが、屋根材１１２の下面１１３ｂに取り付けられている。破風板１４０と水切部材１６０とは、同じ材質であることが好ましく、同じデザインの表面を有することが好ましい。破風板１４０と水切部材１６０とで、統一感のある美観としている。
【００４７】
水切部材１６０は、捨て水切１７０と、この捨て水切１７０の上端部と一方端部で接する化粧水切１８０とを含んでいる。化粧水切１８０は、屋根材１１２の下面よりも下方に突出している。
【００４８】
捨て水切１７０は、屋根材１１２の水を下方に導く。捨て水切１７０は、第１の横部１７１と、この第１の横部１７１から上方に立設された縦部１７２と、縦部１７２から水平方向に突設された第２の横部１７３とを含んでいる。第１の横部１７１は、下地板１１３と仕上材１１４との間に配置されている。縦部１７２は、仕上材１１４のケラバ側の側端面と、下地桟１１７との間に配置されている。縦部１７２は、第３の接合部材１３３により下地桟１１７に固定されている。第２の横部１７３は、第１の横部１７１と略平行に内側に延びる。つまり、縦部１７２の両端から下地桟１１７と反対側に向けて突出するように第１及び第２の横部１７１、１７３が設けられている。
【００４９】
捨て水切１７０の立ち上がり端部（本実施の形態では第２の横部１７３）に嵌合されるように、化粧水切１８０が設けられている。この化粧水切１８０は、捨て水切１７０の第２の横部１７３と嵌合された上面部１８１と、この上面部１８１から下方に延在して、第２の接合部材１３２を被覆する側面部１８２と、この側面部１８２の下端と連なり、下地板１１３に取り付けられる下面部１８３とを有している。
【００５０】
上面部１８１は、平面部１８１ａと、折返部１８１ｂとを有している。平面部１８１ａは、下地桟１１７の上面と、捨て水切１７０（本実施の形態では第２の横部１７３）の上面と、第３の接合部材１３３とを覆うように延びる。平面部１８１ａにより、第３の接合部材１３３が外部から目立つことを抑制できる。折返部１８１ｂは、平面部１８１ａにおいてケラバと反対側の端部から下方に折り返され、捨て水切１７０の上端と当接される。本実施の形態の折返部１８１ｂは、略Ｌ字形状であり、捨て水切１７０の第２の横部１７３を包み込みつつ、第２の横部１７３の先を引っ掛けて固定される。折返部１８１ｂが捨て水切１７０の上端と嵌合されるので、捨て水切１７０と化粧水切１８０とが係止されている。
【００５１】
側面部１８２は、下地桟１１７のケラバ側の側面と、下地板１１３のケラバ側の側面と、第２の接合部材１３２とを覆うように下方に延びている。側面部１８２により、第２の接合部材１３２が外部から目立つことを抑制できる。
【００５２】
下面部１８３は、下地板１１３の下面１１３ｂに沿って延びている。下地板１１３の下面１１３ｂ下に、化粧水切１８０の下面部１８３が配置され、この下面部１８３の下に、破風板１４０の取付部１４２が配置されている。第２の接合部材１３２により、取付部１４２の下方から、破風板１４０と化粧水切１８０と下地板１１３と下地桟１１７とが固定されている。このため、下面部１８３には、第２の接合部材１３２を貫通させるための貫通孔が形成されている。
【００５３】
捨て水切１７０及び化粧水切１８０は、例えば、鋼板などの金属製の薄板が折り曲げ加工されている。捨て水切１７０と化粧水切１８０とは、別部材としてもよく、一体成形されていてもよい。捨て水切１７０と化粧水切１８０とは、同じ材質であることが好ましく、同じデザインの表面を有することが好ましい。
【００５４】
なお、本実施の形態では、第１〜第３の接合部材１３１〜１３３として、ビス、釘などを例に挙げて説明したが、特に限定されず、接着部材等を用いてもよい。
【００５５】
続いて、図１〜図７を参照して、本実施の形態の破風板１４０を屋根１１０のケラバ側の側端部に取り付ける方法について説明する。
【００５６】
まず、図５に示すように、屋根１１０のケラバ側の側端部の上方を覆うように水切部材１６０を取り付ける。この工程では、例えば、以下のように行う。
【００５７】
まず、下地板１１３と仕上材１１４との間に第１の横部１７１が位置するとともに、下地桟１１７の側面に沿って縦部１７２が位置するように、捨て水切１７０を配置する。第３の接合部材１３３を用いて、捨て水切１７０の縦部１７２と、下地桟１１７とを固定する。次いで、上面部１８１を第２の横部１７３と嵌合し、下面部１８３を下地板１１３の下面１１３ｂ下に配置する。これにより、捨て水切１７０と化粧水切１８０とを接続でき、水切部材１６０を取り付けることができる。
【００５８】
次に、図２及び図６に示すように、固定部材１２０を屋根１１０の側端部の下面１１１ｂに取り付ける。具体的には、垂直部１２１が軒天材１１１のケラバ側の側面に沿うように位置し、水平部１２２を軒天材１１１の下面１１１ｂに沿うように位置し、係止片１２３が下方に突出するように位置するように、固定部材１２０を配置する。この状態で、第１の接合部材１３１を用いて、固定部材１２０を軒天材１１１の下面１１１ｂに固定する。このように、複数の固定部材１２０を、図２に示すように、流れ方向に沿って間隔を隔てて固定する。
【００５９】
次に、図７に示すように、破風板１４０を屋根の側端部に配置する。この工程では、一方端部（係止部１４３）が固定部材１２０に係止されるとともに、他方端部（取付部１４２）が屋根材の下面１１３ｂに接続され、かつ、屋根の側端部の上下方向の幅を被覆部１４１が覆うように、破風板１４０を配置する。
【００６０】
具体的には、まず、上述した図３に示す破風板１４０を準備する。次いで、図７に示すように、被覆部１４１が破風下地１１５を覆うように位置し、化粧水切１８０の下面部１８３下に取付部１４２を位置し、係止部１４３が固定部材１２０及び第１の接合部材１３１を覆うように位置するように、破風板１４０を配置する。例えば、屋根１１０の側端部において破風板１４０を上下方向にスライドさせて、このように配置する。この工程では、係止部１４３を固定部材１２０に被せることで、破風板１４０の下端を固定する。つまり、破風板１４０の係止部１４３は、固定部材１２０の係止片１２３と当接している。これにより、破風板１４０のケラバ出方向の動きを規制することができる。
【００６１】
次に、図１に示すように、第２の接合部材１３２を用いて、下地板１１３の下方から、破風板１４０及び化粧水切１８０を下地板１１３に固定する。これにより、破風板１４０の上下方向及び流れ方向の動きを規制することができる。
【００６２】
以上の工程を実施することにより、破風板１４０を屋根１１０のケラバ側の側端部に取り付けることができる。このように取り付けられた破風板１４０の側面に位置する被覆部１４１には、ビス、釘などの接合部材はない。したがって、破風板１４０を取り付けるための締結材が表面には見えにくくなり、美観を向上することができる。
【００６３】
また、屋根１１０のケラバに沿って、複数の破風板１４０を取り付ける場合には、複数の破風板１４０を互いに突き合わせて、突き合わせた領域を裏側から覆うようにジョイント部材１５０を配置する。このとき、突き合わせる２枚の破風板１４０は接していてもよく、ジョイント部材１５０の幅よりも小さい間隔を隔てて配置してもよい。破風板１４０が膨張することを考慮すると、間隔を隔てて破風板１４０を配置することが好ましい。これにより、屋根１１０のケラバ側の側端部の形状によらずに、破風板１４０を屋根１１０の側端部に取り付けることができる。
【００６４】
以上説明したように、本実施の形態における破風板の取付構造１００は、上方に配置された屋根材１１２を含む屋根１１０のケラバ側の側端部に破風板１４０が取り付けられる構造であって、側端部の下面１１１ｂに設けられた固定部材１２０と、一方端部が固定部材１２０に係止されるとともに、他方端部が屋根材１１２の下面１１３ｂに接続され、かつ、側端部における上下方向に延びる領域（屋根１１０の側端部の上下方向の幅）を覆う被覆部１４１を含む破風板１４０とを備えている。
【００６５】
本実施の形態における破風板の取付構造１００によれば、破風板１４０の一方端部は、屋根１１０の下面１１１ｂに設けられた固定部材１２０に係止されているので、破風板１４０のケラバ出方向への移動を防止できる。また、破風板１４０の他方端部は、屋根材１１２の下面１１３ｂに接続されているので、破風板１４０の上下方向の移動を防止できる。このように、屋根１１０の流れ方向の側端部を覆う破風板１４０の被覆部１４１にビス、釘などの固定具を用いなくても、破風板１４０の一方端部及び他方端部で屋根１１０に固定される。このため、破風板１４０の上下方向に延びる側面には、ビス、釘などの固定具がないので、美観を向上することができる。
【００６６】
このように、屋根１１０の流れ方向の側端部を覆う破風板１４０の被覆部１４１にビス、釘などの固定具を用いなくても、破風板１４０の一方端部及び他方端部で破風板１４０を屋根１１０の側端部に取り付けることができる。このため、破風板１４０を取り付けるために、屋根１１０の側端部における上下方向に延びる領域（側端部において、破風板１４０の被覆部１４１で覆われている領域）に穴を設ける必要がないので、本実施の形態における破風板の取付構造１００は、穴を介した雨水の浸入を抑制することができる。
【００６７】
さらに、破風下地１１５の表面には凹凸があるが、この凹凸を被覆部１４１で被覆するので、厚みの小さい材質で形成された破風板１４０を用いることができる。また、破風板の取付構造１００は、破風板１４０の側面から固定具を用いて取り付ける場合に必要な補強及び固定具を省略できる。このように、部材を省略して、安価な材料で形成された破風板１４０を用いることができるので、本実施の形態における破風板の取付構造１００は、コストを低減することができる。
【００６８】
また、破風板１４０の破風高さを大きくすることで高級感を持たせることができるなど、破風板１４０の設計の幅が大きい。このため、種々のタイプの屋根のケラバ側の側端部に、所望の形状の破風板１４０を取り付けることができる。
【００６９】
さらには、破風板１４０の側面にビス、釘などの固定具を設ける必要がないので、部品点数を低減できる。このため、屋根１１０のケラバ側の側端部に破風板１４０を容易に取り付けることができる。
【００７０】
本実施の形態における破風板の取付構造１００において好ましくは、屋根１１０は、軒天材１１１と、この軒天材１１１から屋根材１１２に向かって延びる破風下地１１５とをさらに含み、屋根材１１２は、破風下地１１５の上端側に配置される下地板１１３と、この下地板１１３上に配置される仕上材１１４とを有し、固定部材１２０は、軒天材１１１の下面１１１ｂに取り付けられ、破風板１４０の他方端部は、下地板１１３の下面１１３ｂに取り付けられる。
【００７１】
これにより、破風板１４０の一方端部が軒天材１１１の下面で固定され、破風板１４０の他方端部が下地板１１３の下面１１３ｂに固定される。このため、屋根１１０の流れ方向の側端部を覆う破風板１４０の被覆部１４１にビス、釘などの固定具を用いなくても、屋根１１０に破風板１４０を取り付ける構造を実現できる。
【００７２】
本実施の形態における破風板の取付構造１００において好ましくは、固定部材１２０は、軒天材１１１のケラバ側の側面に沿って延びる垂直部１２１と、この垂直部１２１と連なり、かつ軒天材１１１の下面１１１ｂに沿って延びる水平部１２２と、この水平部１２２と連なり、かつ下方に突出する係止片１２３とを含み、固定部材１２０の水平部１２２を軒天材１１１に固定するための第１の接合部材１３１をさらに備え、破風板１４０の被覆部１４１は破風下地１１５を覆い、破風板１４０は、被覆部１４１の上端と連なり、かつ下地板１１３の下面１１３ｂに取り付けられる取付部１４２と、被覆部１４１の下端と連なり、かつ第１の接合部材１３１を覆い、かつ係止片１２３と当接する係止部１４３とを含んでいる。
【００７３】
第１の接合部材１３１により固定部材１２０が軒天材１１１に固定されているが、破風板１４０の係止部１４３が第１の接合部材１３１を被覆している。このため、第１の接合部材１３１が外観上、現れることを防止できる。したがって、破風板の取付構造１００の美観をより向上することができる。
【００７４】
本実施の形態の破風板の取付構造１００において好ましくは、固定部材１２０は、流れ方向に沿って間隔を隔てて複数配置され、破風板１４０の係止部１４３は、流れ方向に沿って延在している。
【００７５】
これにより、破風板１４０の係止部１４３の一部が固定部材１２０で係止されるので、屋根１１０のケラバ側の側端部に破風板１４０を容易に取り付けることができる。
【００７６】
本実施の形態における破風板の取付構造１００において好ましくは、破風板１４０は、被覆部１４１から側端部に向けて突設された補強部１４４をさらに含んでいる。これにより、破風板１４０の強度を高めることができる。
【００７７】
本実施の形態における破風板の取付構造１００において好ましくは、側端部の上方を覆う水切部材１６０をさらに備え、水切部材１６０は、屋根材１１２の水を下方に導く捨て水切１７０と、この捨て水切１７０の上端部と一方端部で接する化粧水切１８０とを含み、破風板１４０の他方端部と、化粧水切１８０の他方端部とが、屋根材１１２の下面１１３ｂに接続され、化粧水切１８０は、屋根材１１２の下面１１３ｂよりも下方に突出している。
【００７８】
これにより、水切部材１６０をさらに備えた破風板の取付構造１００を実現できる。また、破風板１４０及び水切部材１６０は屋根材１１２の下面１１３ｂに接続されているが、化粧水切１８０が屋根材１１２の下面１１３ｂよりも下方に突出している。このため、水切部材１６０及び破風板１４０の接続部分が化粧水切１８０で覆われているので、接続部分が外観に現れることを抑制できる。したがって、破風板の取付構造１００の美観をより向上できる。
【００７９】
本実施の形態の破風板の取付構造１００において好ましくは、屋根１１０は、軒天材１１１と、この軒天材１１１から屋根材１１２に向かって延びる破風下地１１５とをさらに含み、屋根材１１２は、破風下地１１５の上端側に配置される下地板１１３と、この下地板１１３上に配置される仕上材１１４とを有し、化粧水切１８０を下地板１１３に固定するための第２の接合部材１３２をさらに備え、捨て水切１７０は、下地板１１３と仕上材１１４との間に配置される横部（図１における第１の横部１７１）と、この横部から立設された縦部１７２とを有し、化粧水切１８０は、捨て水切１７０の上端と嵌合された上面部１８１と、この上面部１８１から下方に延在して、第２の接合部材１３２を被覆する側面部１８２と、この側面部１８２の下端と連なり、下地板１１３に取り付けられる下面部１８３とを有している。より具体的には、捨て水切１７０は、下地板１１３と仕上材１１４との間に配置される第１の横部１７１と、この第１の横部１７１から立設された縦部１７２と、この縦部１７２から突設された第２の横部１７３とを有し、化粧水切１８０は、第２の横部１７３と嵌合された上面部１８１と、この上面部１８１から下方に延在して、第２の接合部材１３２を被覆する側面部１８２と、この側面部１８２の下端と連なり、下地板１１３に取り付けられる下面部１８３とを有している。
【００８０】
第２の接合部材１３２により化粧水切１８０及び破風板１４０が下地板１１３に固定されているが、化粧水切１８０の側面部１８２が第２の接合部材１３２を被覆している。このため、第２の接合部材１３２が外観上、現れることを防止できる。したがって、破風板の取付構造１００の美観をより向上することができる。
【００８１】
（実施の形態２）
図８を参照して、本発明の実施の形態２における破風板の取付構造１０１について説明する。実施の形態２における破風板の取付構造１０１は、基本的には図１に示す実施の形態１の破風板の取付構造１００と同様の構成を備えているが、化粧水切を備えていない点において異なる。
【００８２】
具体的には、屋根材１１２の仕上材１１４は瓦葺きであり、袖瓦１１４ａを有している。この袖瓦１１４ａは、下地板１１３の下面１１３ｂよりも下方に突出している。このため、図１に示す化粧水切１８０が省略されていても、下地板１１３に取り付けられた第２の接合部材１３２は外観上、現れにくい。
【００８３】
このように、本実施の形態における破風板の取付構造１０１は、瓦葺き屋根であるため、化粧水切１８０が省略されている。袖瓦１１４ａが化粧水切の役割を果たすので、破風板１４０を下地板１１３に取り付けるための第２の接合部材１３２が目立たない。したがって、破風板の取付構造１０１の美観を向上することができる。
【００８４】
今回開示された実施の形態はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【符号の説明】
【００８５】
１００，１０１  破風板の取付構造、１１０  屋根、１１１  軒天材、１１１ａ  上面、１１１ｂ，１１３ｂ  下面、１１２  屋根材、１１３  下地板、１１４  仕上材、１１４ａ  袖瓦、１１５  破風下地、１１６，１１７  下地桟、１２０  固定部材、１２１  垂直部、１２２  水平部、１２３  係止片、１３１  第１の接合部材、１３２  第２の接合部材、１３３  第３の接合部材、１４０  破風板、１４１，１５１  被覆部、１４２，１５２  取付部、１４２ａ  貫通孔、１４３，１５３  係止部、１４３ａ  第１水平部、１４３ｂ  第１垂直部、１４３ｃ  第２水平部、１４３ｄ  第２垂直部、１４４  補強部、１４５  側部、１５０  ジョイント部材、１６０  水切部材、１７０  捨て水切、１７１  第１の横部、１７２  縦部、１７３  第２の横部、１８０  化粧水切、１８１  上面部、１８１ａ  平面部、１８１ｂ  折返部、１８２  側面部、１８３  下面部、Ａ，Ｂ  矢印。
【図１】
2015040427.tif 000003
【図２】
2015040427.tif 000004
【図３】
2015040427.tif 000005
【図４】
2015040427.tif 000006
【図５】
2015040427.tif 000007
【図６】
2015040427.tif 000008
【図７】
2015040427.tif 000009
【図８】
2015040427.tif 000010